(57)【要約】【課題】外気温度が低く、箱体構造物内も冷えている場合に、箱体構造物内の機器を起動するために一時的に箱体構造物内を加熱することが要求されている。また、外気を箱体構造物内に直接導入することによって、箱体構造物内に粉塵、水分などが浸入し、収容されている機器への悪影響が懸念される。【解決手段】箱体構造物内の空気（以下、内気と称す）を取込み、また箱体構造物内に戻し循環させる内気風路５と、箱体構造物外の空気（以下、外気と称す）を取込み、また箱体構造物外に排出する外気風路８が互いに独立するよう配置し、外気風路８と内気風路５の空気を搬送する送風機２と、外気風路８と内気風路５の交点に配され外気と内気の顕熱を交換する熱交換素子３と、前記内気風路５に接するように配置した加熱手段９を備え、外気と内気の熱交換による冷却方式と前記加熱手段９による加熱方式を単独または併用で運転可能とする熱交換型冷却装置。【選択図】図１
2005257158.tif 000002
【特許請求の範囲】
【請求項１】
箱体構造物内の空気（以下、内気と称す）を取込み、また箱体構造物内に戻し循環させる内気風路と、箱体構造物外の空気（以下、外気と称す）を取込み、また箱体構造物外に排出する外気風路が互いに独立するよう配置し、外気風路と内気風路の空気を搬送する送風機と、外気風路と内気風路の交点に配され外気と内気の顕熱を交換する熱交換素子と、前記内気風路に加熱手段を備え、外気と内気の熱交換による冷却手段と前記加熱手段を単独または併用で運転可能とする熱交換型冷却装置。
【請求項２】
１つの送風機に内気側ファンと外気側ファンを設けた請求項１記載の熱交換型冷却装置。
【請求項３】
複数の送風機に各々内気側ファンまたは外気側ファンを設けた請求項１記載の熱交換型冷却装置。
【請求項４】
加熱手段を内気風路の吹出口に配置した請求項１、２または３記載の熱交換型冷却装置。
【請求項５】
箱体構造物への設置面と熱交換素子の積層方向を直交させた請求項１、２、３または４記載の熱交換型冷却装置。
【請求項６】
箱体構造物に収容されている機器の送風機で内気風路を形成した請求項１、３、４または５記載の熱交換型冷却装置。
【請求項７】
外気温度が内気温度より低い時に、外気側ファンを停止して内気を加熱することを特徴とする請求項１、３、４、５または６記載の熱交換型冷却装置。
【請求項８】
内気側ファンと外気側ファンの風量を各々別々に変えることを特徴とする請求項１、３、４、５、６または７記載の熱交換型冷却装置。
【発明の詳細な説明】
【技術分野】
【０００１】
本発明は、屋外に設置される箱体構造物で、内部に温度、湿度、粉塵などが性能、寿命に影響を与える機器を収容し、その機器の発熱量が多いため寒冷期においても冷却を要する箱体構造物に関し、特にその冷却装置と制御方法に関するものである。
【背景技術】
【０００２】
従来、屋外に設置される箱体構造物の冷却装置としては、箱体構造物の外壁に冷却装置を設置することによって、外気温度が低い時に外気と箱体構造物内の空気（以下、内気と称す）とで熱交換を行うことで内気が冷却されることから、既設のエアコンなどの冷却装置の冷房負荷が軽減し、その運転時間が減少し、省エネとなるものがあった（例えば、特許文献1参照）。
【０００３】
また、外気吸込口に電熱器を配置することで、寒冷地の使用でも熱交換素子に結露しないようにしたものがあった（例えば、特許文献２参照）。
【特許文献１】特開２００１−１５６４７８号公報（図1）
【特許文献２】特開平６−３２３５９３号公報（図１）
【発明の開示】
【発明が解決しようとする課題】
【０００４】
しかしながら、前記特許文献１の構成では、外気と内気の熱交換により箱体構造物を冷却するものなので、外気温度が低く、また箱体構造物内も冷えている場合には、箱体構造物内を暖めるということはできない。
【０００５】
箱体構造物に収容されている機器の中には、起動に際し一定以上の周囲温度が必要なものがあるため、このような機器が収容されている場合、周囲温度によっては機器が起動できないという課題がある。
【０００６】
このため、箱体構造物に収容されている機器が起動する際に、外気温度が機器の起動する周囲温度より低く、また箱体構造物内も冷えている場合には、一時的に箱体構造物内を加熱することが要求されている。
【０００７】
また前記特許文献２の構成では、外気が箱体構造物内に直接入るため、箱体構造物に粉塵、水分などが侵入し、収容されている機器への悪影響が懸念される。
【０００８】
本発明は、このような従来の課題を解決するものであり、熱交換型冷却装置に加熱手段を内蔵することによって、外気温度が低く、また箱体構造物内が冷えている場合には、加熱手段により箱体構造物内を加熱し、それ以外の場合は外気と内気の熱交換を用いて、箱体構造物内を冷却することにより、外気、内気の温度条件に関わらず箱体構造物に収容されている機器が起動でき、また少ない消費電力で箱体構造物内に粉塵、水分などの侵入を防ぎ年間を通じて箱体構造物内の冷却を可能とした冷媒を用いないクリーンな熱交換型冷却装置を提供することを目的としている。
【課題を解決するための手段】
【０００９】
本発明の熱交換型冷却装置は、上記目的を達成するために、箱体構造物内の空気（以下、内気と称す）を取込み、また箱体構造物内に戻し循環させる内気風路と、箱体構造物外の空気（以下、外気と称す）を取込み、また箱体構造物外に排出する外気風路が互いに独立するよう配置し、外気風路と内気風路の空気を搬送する送風機と、外気風路と内気風路の交点に配され外気と内気の顕熱を交換する熱交換素子と、前記内気風路に加熱手段を備え、外気と内気の熱交換による冷却手段と前記加熱手段を単独または併用で運転可能とするものである。
【００１０】
この手段により、外気、内気の温度条件に関わらず箱体構造物に収容されている機器が起動でき、また少ない消費電力で年間を通じ箱体構造物内の冷却を可能とした冷媒を用いないクリーンな熱交換型冷却装置が得られる。
【００１１】
また、本発明の熱交換型冷却装置は、上記目的を達成するために、１つの送風機に内気側ファンと外気側ファンを設けたものである。
【００１２】
この手段により、１つの送風機で内気側ファンによる内気風路と外気側ファンによる外気風路を構成することができる。
【００１３】
また、本発明の熱交換型冷却装置は、上記目的を達成するために、複数の送風機に各々内気側ファンまたは外気側ファンを設けたものである。
【００１４】
この手段により、複数の送風機で内気側ファンによる内気風路と外気側ファンによる外気風路が構成され、内気風路の送風機の制御と外気風路の送風機の制御を個別におこなうことができると共に、内気風路と外気風路を構成できれば、送風機の配置も自由に選択できるようになる。
【００１５】
また、本発明の熱交換型冷却装置は、上記目的を達成するために、加熱手段を内気風路の吹出口に配置し、加熱手段の熱を外気との熱交換により低下させることなく、箱体構造物内を加熱するものである。
【００１６】
この手段により、外気が寒冷な時期においても箱体構造物に収容された機器が起動できる温度に周囲温度を短時間で実現できる熱交換型冷却装置が得られる。
【００１７】
また、本発明の熱交換型冷却装置は、上記目的を達成するために、箱体構造物への設置面と熱交換素子の積層方向を直交させた構成にすることにより、設置面の垂直方向に伸ばすことができるため、箱体構造物の面積を変えずに冷却能力を変更させるものである。
【００１８】
この手段により、設置面積に制限のある箱体構造物に対しても、冷却能力を増加できる熱交換型冷却装置が得られる。
【００１９】
また、本発明の熱交換型冷却装置は、上記目的を達成するために、箱体構造物に収容されている機器の送風機で、内気風路を形成したものである。
【００２０】
この手段により、内気側ファンを省略できるため、簡素な構造の熱交換型冷却装置が得られる。
【００２１】
また、本発明の熱交換型冷却装置は、上記目的を達成するために、外気温度が内気温度より低い時に、内気を加熱する際、外気側ファンを停止するものである。
【００２２】
この手段により、外気と内気が熱交換することによる内気温度低下を抑え、箱体構造物内を加熱する熱交換型冷却装置が得られる。
【００２３】
また、本発明の熱交換型冷却装置は、上記目的を達成するために、内気側ファンと外気側ファンの風量を各々変えることを特徴とするものである。
【００２４】
この手段により、外気温度、内気温度の状態によって、熱交換による冷却と内気循環による冷却と加熱手段による加熱を切り換えられる熱交換型冷却装置が得られる。
【発明の効果】
【００２５】
本発明によれば、熱交換による冷却手段と加熱手段を併用することで、外気、内気の温度条件に関わらず箱体構造物に収容されている機器が起動でき、また箱体構造物を密閉した状態で、水分や粉塵を混入させることなく、少ない消費電力で年間を通じて、冷媒を用いないクリーンな冷暖房を箱体構造物内に対してできるという効果が得られる。
【００２６】
また、加熱手段を内気風路の吹出口に配置することで、外気が寒冷な時期においても箱体構造物に収容された機器が起動できる周囲温度にすることができる。
【００２７】
また、箱体構造物への設置面と熱交換素子の積層方向を直交させることで、設置面積を一定のままで冷却能力の変更をすることができる。
【００２８】
また、箱体構造物に収容されている機器が自身の冷却に用いているファンで内気風路を形成することで、内気側ファンを省略することができる。
【００２９】
また、外気温度が内気温度より低い時に、内気を加熱する際には、外気側ファンを停止することで、外気と内気が熱交換することによる内気温度低下を抑えて、箱体構造物内を効率よく加熱することができる。
【００３０】
また、熱交換により冷却する際には、内気ファンと外気ファンの風量を各々変えることで、熱交換による冷却と内気循環による冷却と加熱手段による加熱を切り換えることができる。
【発明を実施するための最良の形態】
【００３１】
本発明は、箱体構造物内の空気（以下、内気と称す）を取込み、また箱体構造物内に戻し循環させる内気風路と、箱体構造物外の空気（以下、外気と称す）を取込み、また箱体構造物外に排出する外気風路が互いに独立するよう配置し、外気風路と内気風路の空気を搬送する送風機と、外気風路と内気風路の交点に配され外気と内気の顕熱を交換する熱交換素子と、前記内気風路に加熱手段を備え、外気と内気の熱交換による冷却手段と前記加熱手段を単独または併用で運転可能とするものであり、外気、内気の温度条件に関わらず箱体構造物に収容されている機器が起動でき、また少ない消費電力で年間を通じ箱体構造物内の冷暖房を可能とした冷媒を用いないクリーンな熱交換型冷却装置となるという作用を有する。
【００３２】
以下、本発明の実施の形態について図面を参照しながら説明する。
【００３３】
（実施の形態１）
図１は、熱交換型冷却装置Ａの概略図を示す。箱体構造物Ｂ内の空気（以下、これを内気と称する）は内気吸込口１より送風機２の内気側ファン２Ａに取込まれたのち、熱交換素子３を通過して、また箱体構造物Ｂ内に戻る循環させる内気風路５を形成している。
【００３４】
一方、箱体構造物Ｂ外の空気（以下、これを外気と称する）は、外気吸込口６より取込み、熱交換素子３、送風機２の外気側ファン２Ｂ、外気吹出口７を介して、また外気に排出する外気風路８を形成している。
【００３５】
これら両風路が独立するよう設置され、また外気風路８と内気風路５の交点には外気と内気の顕熱を交換する熱交換素子３が配置されている。また、内気吸込口１からの空気は、加熱手段９により加熱されて内気風路５の内気吹出口４から箱体構造物Ｂ内部に吹出される。熱交換型冷却装置Ａの取付けは、図２に示すように、箱体構造物Ｂの外壁に取付けられ、所謂る「外付け」装着にて構成されている。
【００３６】
上記構成により、熱交換型冷却装置Ａは、外気温度が内気温度より低い時に外気を取り入れ、箱体構造物Ｂ内部の暖かい空気との間で熱交換素子３にて熱交換をおこない、暖かくなった外気は排気し、冷たくなった空気を箱体構造物Ｂ内に給気する。
【００３７】
また、外気温度が低く、また内気温度も低い時に、箱体構造物Ｂに収容されている機器Ｃが起動する際には、加熱手段９により箱体構造物Ｂ内を加熱する。
【００３８】
これにより機器Ｃの周囲温度を暖かくすることができ、機器Ｃが起動可能となる。
【００３９】
また、外気風路８、内気風路５が独立していることから、外気と内気の空気は混合しないため、外気に含まれる水分、粉塵が箱体構造物Ｂの内部に混入することがなく、箱体構造物Ｂ内部の機器Ｃへの水分、粉塵による悪影響も発生しない。
【００４０】
（実施の形態２）
図１に示すように、送風機２に内気側ファン２Ａと外気側ファン２Ｂを一軸上に設けることにより、一つの送風機２で両方のファンを回すことができる。その結果、内気風路５と外気風路８を形成することができ、また、制御においても一軸の回転のため、運転停止が同時に行なえることになる。その他の構成は、実施の形態１に同様である。
【００４１】
（実施の形態３）
複数の送風機２に各々内気側ファン２Ａまたは外気側ファン２Ｂを設けた場合（図示せず）は、各々の送風機２を個別に制御して内気風路５の風量と外気風路８の風量を変えることができるため、外気温度と内気温度を検知して加熱手段９を制御することができる。その他の構成は、実施の形態１に同様である。
【００４２】
（実施の形態４）
図１に示すように、加熱手段９を内気吹出口４に配置したものである。
【００４３】
これにより、加熱手段９で加熱した内気が熱交換素子３で外気と熱交換して温度が低下することを抑制する。
【００４４】
よって、加熱手段９で加熱した内気を効率よく箱体構造物Ｂ内に吹出すことができる。
【００４５】
（実施の形態５）
図２に示すように、熱交換型冷却装置Ａの箱体構造物Ｂへの設置面に対して、積層方向が直交になるように熱交換素子３を配置する。
【００４６】
これにより、機器Ｃの発熱量が大きいときに、熱交換型冷却装置Ａの冷却能力増大を熱交換素子３の積層数を増加することで対応できることから、熱交換型冷却装置Ａの箱体構造物Ｂへの設置面を大きくしないですむ。
【００４７】
（実施の形態６）
図２に示すように、機器Ｃの冷却ファンＤにより発生する風路と内気風路５を一体化させる。
【００４８】
これにより、冷却ファンＤを内気側ファン２Ａの代用とすることができ、図３に示すように内気側ファン２Ａを省略することができる。
【００４９】
（実施の形態７）
図４に示すように、実施の形態１に加えて、外気温度を計測する外気温度センサ１０を外気吸込口６に内気温度を計測する内気温度センサ１１を内気吸込口１に備え、マイクロコンピュータ（図示せず）などからなる制御部１２を備えたものである。
【００５０】
外気温度センサ１０により計測した外気温度と、内気温度センサ１１により計測した内気温度と、箱体構造内Ｂに設置されている機器Ｃの最低起動温度から制御部１２で運転判断し、外気側ファン２Ｂと加熱手段９を発停制御する。
【００５１】
なお、図１の構成の内気側ファン２Ａ（または冷却ファンＤ）と外気側ファン２Ｂの場合も同様な制御をおこなうことができる。
【００５２】
以下、制御部１２の制御方法を図５の制御チャートを用いて説明する。
【００５３】
まず、機器Ｃ運転指令２０より始まり、内気温度センサ１１により、内気温度を計測する内気温度計測２１。そして、運転判定２２で機器Ｃの最低起動温度と内気温度を比較する。そして、内気温度が最低起動温度以上ならば、機器Ｃを運転する機器Ｃ運転２３となる。
【００５４】
そして、内気温度が最低起動温度より低くければ、加熱手段９を運転して加熱手段運転２４をする。
【００５５】
そして、外気温度センサ１０により外気温度計測２５をして機器Ｃの最低起動温度と外気温度を比較する。外気温度が最低起動温度より高ければ、外気側ファンを回し外気側ファン２Ｂ運転２７し、内気温度計測２１に戻る。そして、外気温度が最低起動温度以下であれば、外気側ファン２Ｂを停止して外気側ファン２Ｂ停止２８から内気温度計測２１に戻る。
【００５６】
このような運転制御により、箱体構造物Ｂ内が冷えており内蔵されている機器Ｃが起動できない場合に、加熱手段を主体に箱体構造物Ｂ内を加熱し、外気温度が機器Ｃの最低起動温度より低く熱交換による加熱だけでは不充分または熱交換による加熱ができない場合にのみ加熱手段９を併用することで、外気温度が低く、また箱体構造物Ｂ内も冷えている時にでも、起動するにあたり最低限必要な周囲温度があれば、機器Ｃの起動温度にも対応することができる。
【００５７】
なお、外気温度センサ１０、内気温度センサ１１、制御部１２の位置は、外気温度、内気温度が計測できる場所であれば、図４に示した位置に限定されるものではないということは言うまでもない。
【００５８】
また、本実施の形態では、内気側ファン２Ａを使用した場合について説明したが、内気側ファン２Ａを廃止し、冷却ファンＤを代用とした場合には、冷却ファンＤを用い内気側ファン２Ａと同様に制御することも可能である。
【００５９】
（実施の形態８）
図６は本発明における熱交換型冷却装置Ａの内気側ファン２Ａと外気側ファン２Ｂの風量と内気温度の相関図である。
【００６０】
図６に示すように、内気温度が設定上限温度以上のときは、内気側ファン２Ａを最大風量で運転する。そして、内気温度が設定下限温度以上、設定上限温度未満のときは、内気温度に合わせ、内気側ファン２Ａの風量を増減する。そして、内気温度が設定下限温度未満になると内気側ファン２Ａを停止する。
【００６１】
また、本実施の形態では、内気側ファン２Ａを使用した場合について説明したが、内気側ファン２Ａを廃止し、冷却ファンＤを代用とした場合には、冷却ファンＤを用い内気側ファン２Ａと同様に制御することも可能である。
【００６２】
この制御により、消費電力を抑えて箱体構造物Ｂ内の温度を設定上限温度と設定下限温度の範囲内に冷却することができる。
【００６３】
設定上限温度と設定下限温度の間に、内気循環温度を設定する。そして、内気温度が設定下限温度以上、内気循環温度以下の時に、外気側ファン２Ｂを停止し、内気側ファン２Ａの運転による内気循環により箱体構造物Ｂを冷却する。
【００６４】
これにより、外気側ファン２Ｂの消費電力を削減することができる。
【００６５】
冬季などの外気温度が低い時には、箱体構造物Ｂからの放熱量が増加するため、内気循環だけで冷却できることもあるため、省エネルギーになる。
【産業上の利用可能性】
【００６６】
本発明は、携帯電話基地局のように屋外に設置される箱体構造物で、内部に発熱体を有し、その発熱量が多く冬期においても冷却を要するものの、冷却に使用する電力を削減するための装置とその制御方法である。
【図面の簡単な説明】
【００６７】
【図１】本発明の熱交換型冷却装置の概略図
【図２】同箱体構造物に設置した構成図
【図３】同構造を示した概略図
【図４】同概略図
【図５】同制御チャート
【図６】同風量と内気温度の相関図
【符号の説明】
【００６８】
１    内気吸込口
２    送風機
２Ａ  内気側ファン
２Ｂ  外気側ファン
３    熱交換素子
４    内気吹出口
５    内気風路
６    外気吸込口
７    外気吹出口
８    外気風路
９    加熱手段
１０  外気温度センサ
１１  内気温度センサ
１２  制御部
Ａ    熱交換型冷却装置
Ｂ    箱体構造物
Ｃ    機器
Ｄ    冷却ファン
Ｅ    制御部
【図１】
2005257158.tif 000003
【図２】
2005257158.tif 000004
【図３】
2005257158.tif 000005
【図４】
2005257158.tif 000006
【図５】
2005257158.tif 000007
【図６】
2005257158.tif 000008